【手続補正書】
【提出日】平成19年5月2日(2007.5.2)
【手続補正１】
【補正対象書類名】明細書
【補正対象項目名】特許請求の範囲
【補正方法】変更
【補正の内容】
【特許請求の範囲】
【請求項１】
呼出し制御レベルとベアラ制御レベルとが別々のプロトコルで制御され、選択がベアラレベルに影響を与える場合、シグナリングポイントはベアラ制御レベルに通知することで呼出し制御レベルにおける機能の選択に応答する通信システムにおける、シグナリングポイント間で呼出し機能をネゴシエートする方法であって、
発信シグナリングポイントから終端シグナリングポイントまたはシグナリング転送ポイントへ、機能選好または優先順位付き選好リストを呼出し制御レベルで送信するステップと、
終端シグナリングポイントまたはシグナリング転送ポイントが発信シグナリングポイントにより送信された選好内容を受諾する場合、終端シグナリングポイントまたはシグナリング転送ポイントから発信シグナリングポイントへ機能受諾を呼出し制御レベルで返送するステップと、
を含むことを特徴とする方法。
【請求項２】
請求項１に記載の方法であって、終端シグナリングポイントまたはシグナリング転送ポイントが発信シグナリングポイントにより送信された機能選好または選好リストのいずれかを受諾しない場合は、受諾メッセージは返送されず、デフォルト機能が両方のポイントにより想定されることを特徴とする方法。
【請求項３】
請求項１または２に記載の方法であって、ネゴシエートする機能は通話コーデックに関することを特徴とする方法。
【請求項４】
請求項１または２に記載の方法であって、ネゴシエートする機能はセキュリティに関することを特徴とする方法。
【請求項５】
請求項１乃至４の何れか１項に記載の方法であって、ネゴシエーションを実行するために使用するプロトコルは、呼出し制御プロトコルであることを特徴とする方法。
【請求項６】
請求項１乃至５の何れか１項に記載の方法であって、シグナリングポイントまたはシグナリング転送ポイントは、ベアラ制御レベルで１つまたは複数のメディアゲートウェイと通信するメディアゲートウェイコントローラを含むことを特徴とする方法。
【請求項７】
請求項１乃至６の何れか１項に記載の方法であって、終端シグナリングポイントまたはシグナリング転送ポイントで機能選好または優先順位付き選好リストを受信したとき、呼出し制御レベルはベアラ制御レベルとネゴシエーションを実行してベアラ制御レベルにおけるオプション可用性を決定することを特徴とする方法。
【請求項８】
請求項６に従属する場合の請求項７に記載の方法であって、前記ネゴシエーションは、呼出し制御レベルのメディアゲートウェイコントローラとベアラ制御レベルのメディアゲートウェイとの間で行われることを特徴とする方法。
【請求項９】
請求項８に記載の方法であって、優先順位付き選好リストが発信シグナリングポイントからメディアゲートウェイコントローラに送られるとき、コントローラはリストを修正して、対応するメディアゲートウェイがサポートしていないことが分かっている選好内容を削除し、メディアゲートウェイが当該時点でサポートできる最高優先順位の選好内容を選択するメディアゲートウェイへ修正済みリストを送り、ゲートウェイは該選好内容に必要な資源を確保し、メディアゲートウェイコントローラに選好内容を通知することを特徴とする方法。
【請求項１０】
呼出し制御レベルとベアラ制御レベルが別々のプロトコルで制御される遠隔通信システムにおいて別のシグナリングポイントと呼出し機能をネゴシエートするように配置したシグナリングポイントであって、
機能選好または優先順位付き選好リストを終端シグナリングポイントまたはシグナリング転送ポイントへ、呼出し制御レベルで送信する手段と、
終端シグナリングポイントまたはシグナリング転送ポイントが発信シグナリングポイントから送られた選好内容を受諾する場合に送信される機能受諾を、終端シグナリングポイントまたはシグナリング転送ポイントから呼出し制御レベルで受信する手段と、
選択がベアラレベルに影響を与える場合、ベアラ制御レベルに通知することで呼出し制御レベルにおける機能の選択に応答する手段と、
を備えることを特徴とするシグナリングポイント。
【請求項１１】
呼出し制御レベルとベアラ制御レベルが別々のプロトコルで制御される遠隔通信システムのメディアゲートウェイコントローラであって、
遠隔通信システムを介してセットアップする接続に関する機能選好または優先順位付き選好リストを、対等のメディアゲートウェイコントローラから受信する手段と、
メディアゲートウェイコントローラと対応するメディアゲートウェイと通信し、メディアゲートウェイで受信した選好内容の可用性を決定する手段と、
メディアゲートウェイにおいて決定された可用性に従い前記対等のメディアゲートウェイコントローラに機能選好受諾メッセージを返送する手段と、
を備えることを特徴とするメディアゲートウェイコントローラ。
【請求項１２】
呼出し制御レベルとベアラ制御レベルが別々のプロトコルで制御される遠隔通信システムのメディアゲートウェイであって、
遠隔通信システムを介してセットアップする接続に関する機能選好または優先順位付き選好リストを、メディアゲートウェイコントローラから受信する手段と、
メディアゲートウェイにおける選好内容の可用性により選好内容を選択する手段と、
選択した選好内容を前記メディアゲートウェイコントローラへ送信する手段と、
を備えることを特徴とするメディアゲートウェイ。
【請求項１３】
別々の呼出し制御プロトコルとベアラ制御プロトコルとを使用する遠隔通信ネットワークにおいて、第１、第２、及び第３のノード間でプロトコルオプションをネゴシエートする方法であって、
第１のノードがサポートするプロトコルオプションを指定する第１の呼出し制御メッセージを、第１のノードから第２のノードへ送信するステップと、
第１及び第２のノードの両方がサポートするプロトコルオプションを指定する第２の呼出し制御メッセージを、第２のノードから第３のノードへ送信するステップと、
第２の制御メッセージに指定したプロトコルオプションからプロトコルオプションを選択するステップと、
を含むことを特徴とする方法。
【請求項１４】
請求項１３に記載の方法であって、第２の制御メッセージに指定したプロトコルオプションからプロトコルオプションを選択する前記ステップは、第３のノードで実行されることを特徴とする方法。
【請求項１５】
請求項１３または１４に記載の方法であって、前記各呼出し制御メッセージは、指定した各プロトコルオプションに対応する選好レベルが含まれていることを特徴とする方法。
【請求項１６】
請求項１３乃至１５の何れか１項に記載の方法であって、第１のノードは発信ノードであることを特徴とする方法。
【請求項１７】
請求項１３乃至１６の何れか１項に記載の方法であって、第３のノードは終端ノードであることを特徴とする方法。
【請求項１８】
請求項１３乃至１７の何れか１項に記載の方法であって、第１のノードと第２のノードとの間のベアラレベルが前記選択するステップの影響を受けるかどうかを判別し、ベアラレベルが影響を受ける場合は、第１のノードと第２のノードとの間のベアラレベルのパラメータを修正する処置を実行するステップをさらに含むことを特徴とする方法。
【請求項１９】
請求項１３乃至１８の何れか１項に記載の方法であって、第２のノードと第３のノードとの間のベアラレベルが前記選択するステップの影響を受けるかどうかを判別し、ベアラレベルが影響を受ける場合は、第２のノードと第３のノードとの間のベアラレベルのパラメータを修正する処置を実行するステップをさらに含むことを特徴とする方法。
【請求項２０】
呼出し制御プロトコルがトランスポート機構から独立している遠隔通信システムにおいて通話呼出し接続をセットアップする方法であって、
システムの発信シグナリングポイントと第１の終端シグナリングポイントとの間の第１の通話コーデックをネゴシエートするステップと、
前記第１の通話コーデックに従って、発信シグナリングポイントと前記第１の終端シグナリングポイントとの間でトランスポート機構を介して呼出し接続を確立するステップと、
前記第１の終端シグナリングポイントと第２の新しい終端シグナリングポイントとの間で、第２の異なった通話コーデックをネゴシエートするステップと、
発信シグナリングポイントに第２の通話コーデックを通知するステップと、
発信シグナリングポイントと前記第２の終端シグナリングポイントとの間で呼出し接続を確立するステップであって、前記第１の発信シグナリングポイントは中間シグナリングポイントとして動作し、前記第１の呼出し接続は前記第２の通話コーデックをサポートするために必要に応じて修正されるステップと、
を含むことを特徴とする方法。
【請求項２１】
請求項２０に記載の方法であって、前記第１の呼出し接続を修正し、新しいコーデックに従って元の終端シグナリングポイントと新しい終端シグナリングポイントとの間のトランスポート接続を、後で確立するステップを含むことを特徴とする方法。
【請求項２２】
請求項２０または２１に記載の方法であって、元の終端シグナリングポイントから発信シグナリングポイントへ適当な呼出し制御（ＣＣ）メッセージを送信することで、発信シグナリングポイントに第２の通話コーデックを通知するステップを含むことを特徴とする方法。
【請求項２３】
請求項２２に記載の方法であって、呼出し制御プロトコルはトランスポート独立呼出し制御（ＴＩＣＣ）プロトコルで、前記ＣＣメッセージは「修正．要求」メッセージであることを特徴とする方法。
【請求項２４】
呼出し制御プロトコルがトランスポート機構から独立している遠隔通信システムであって、
システムの発信シグナリングポイントと第１の終端シグナリングポイントとの間で、第１の通話コーデックをネゴシエートする手段と、
前記第１の通話コーデックに従って発信シグナリングポイントと前記第１の終端シグナリングポイントとの間で、トランスポート機構を介して呼出し接続を確立する手段と、
前記第１の終端シグナリングポイントと第２の新しい終端シグナリングポイントとの間で、第２の異なった通話コーデックを、後でネゴシエートする手段と、
発信シグナリングポイントに第２の通話コーデックを通知する手段と、
発信シグナリングポイントと前記第２の終端シグナリングポイントとの間で呼出し接続を確立する手段であって、前記第１の発信シグナリングポイントは中間シグナリングポイントとして動作し、第１の呼出し接続は前記第２の通話コーデックをサポートするために必要に応じて修正される手段と、
を備えることを特徴とするシステム。
【請求項２５】
呼出し制御プロトコルがトランスポート機構から独立している遠隔通信ネットワークのシグナリングポイントであって、
第１の終端シグナリングポイントと第１の通話コーデックをネゴシエートする処理手段と、
前記第１の通話コーデックに従い、発信シグナリングポイントと前記第１の終端シグナリングポイントとの間でトランスポート機構を介して呼出し接続を確立する手段と、
前記第１の終端シグナリングポイントと第２の新しい終端シグナリングポイントとの間でネゴシエートされた第２の通話コーデックの通知を受信する手段と、
前記第２の通話コーデックをサポートするために、前記第１の呼出し接続を必要に応じ修正する手段と、
を備えることを特徴とするシグナリングポイント。
【請求項２６】
第１及び第２のモバイル電話ネットワーク間の呼出し接続をセットアップする方法であって、いずれかのネットワークはモバイルネットワークの無線アクセスネットワーク部分の外側に設置されたタンデムフリーオペレーション（ＴＦＯ）装置を含み、呼出し制御プロトコルがベアラトランスポート機構から独立している方法であって、
適当な通話コーデックを決定するために、片方のモバイルネットワークの前記ＴＦＯ装置と他方のモバイルネットワークの対等ＴＦＯ装置との間でネゴシエーションを実行するステップと、
対応するＴＦＯ装置から呼出し制御（ＣＣ）メッセージを送信することで、前記無線アクセスネットワークに決定された通話コーデックを通知するステップと、
を含むことを特徴とする方法。
【請求項２７】
請求項２６に記載の方法であって、各モバイルネットワークは、モバイルネットワークの無線アクセスネットワーク部分の外側にタンデムフリーオペレーション（ＴＦＯ）装置を含むことを特徴とする方法。
【請求項２８】
請求項２６または２７に記載の方法であって、２つのモバイル電話ネットワークは、ＰＳＴＮを介してお互いに連結していることを特徴とする方法。
【請求項２９】
請求項２６乃至２８の何れか１項に記載の方法であって、前記ネゴシエーションはＴＦＯプロトコルのコーデック不一致解決及び最適化手順を使用する方法であって、ＴＦＯメッセージは帯域内シグナリングを使用して送信することを特徴とする方法。
【請求項３０】
請求項２６乃至２９の何れか１項に記載の方法であって、無線アクセスネットワークの外側に設置された前記または各ＴＦＯ装置は、モバイルネットワークと外部ネットワークとのインターフェースを提供するゲートウェイＭＳＣ（ＧＭＳＣ）に設置されていることを特徴とする方法。
【請求項３１】
請求項２６乃至３０の何れか１項に記載の方法であって、タンデムフリーオペレーション（ＴＦＯ）装置が無線アクセスネットワーク部分の外側に設置されているネットワークはユニバーサル移動通信方式（ＵＭＴＳ）ネットワークであって、無線アクセスネットワークはＵＭＴＳターミナル地上無線接続ネットワークであることを特徴とする方法。
【請求項３２】
第１と第２のモバイル電話ネットワーク間の呼出し接続をセットアップする装置であって、少なくともいずれかのネットワークはモバイルネットワークの無線アクセスネットワーク部分の外側に設置されたタンデムフリーオペレーション（ＴＦＯ）装置を含み、呼出し制御プロトコルがベアラトランスポート機構から独立している装置であって、
適当な通話コーデックを決定するために、片方のモバイルネットワークの前記ＴＦＯ装置と他方のモバイルネットワークの対等ＴＦＯ装置との間のネゴシエーションを実行する手段と、
対応するＴＦＯ装置から呼出し制御（ＣＣ）メッセージを送信することで、前記無線アクセスネットワークに決定された通話コーデックを通知する手段と、
を備えることを特徴とする装置。
【請求項３３】
第１と第２のモバイル電話ネットワーク間の呼出し接続をセットアップする方法であって、各ネットワークはモバイルネットワークの無線アクセスネットワーク部分の外側に設置されたタンデムフリーオペレーション（ＴＦＯ）装置を含み、呼出し制御プロトコルがベアラトランスポート機構から独立していて、両方のモバイルネットワークは公衆電話交換網（ＰＳＴＮ）を介して連結している方法であって、
適当な通話コーデックを決定するために、それぞれ、第１及び第２のモバイルネットワークに加入している２つのモバイル端末間でネゴシエーションを実行するステップであって、該ネゴシエーションは無線アクセスネットワーク部分と各ＴＦＯ装置間で交換される呼出し制御プロトコルシグナリングメッセージ及びＴＦＯ装置間で送信されるＩＳＵＰメッセージを使用して実行するステップ、
を含むことを特徴とする方法。
【請求項３４】
請求項３３に記載の方法であって、発信モバイルネットワークで利用可能なコーデックリストを該ネットワークのＴＦＯ装置から対等のＴＦＯ装置へＩＳＵＰ初期アドレスメッセージ（ＩＡＭ）を使用して送信し、選択されたコーデックを後続ＩＳＵＰメッセージで発信ネットワークへ返送することを特徴とする方法。
【請求項３５】
第１と第２のモバイル電話ネットワーク間の呼出し接続をセットアップする装置であって、各ネットワークはモバイルネットワークの無線アクセスネットワーク部分の外側に設置されたタンデムフリーオペレーション（ＴＦＯ）装置を含み、呼出し制御プロトコルがベアラトランスポート機構から独立していて、両方のモバイルネットワークは公衆電話交換網（ＰＳＴＮ）を介して連結されている装置であって、
適当な通話コーデックを決定するために、それぞれ、第１及び第２のモバイルネットワークに加入している２つのモバイル端末間でネゴシエーションを実行する手段であって、該ネゴシエーションは無線アクセスネットワーク部分と各ＴＦＯ装置間で交換される呼出し制御プロトコルシグナリングメッセージ及びＴＦＯ装置間で送信されるＩＳＵＰメッセージを使用して実行する手段、
を備えることを特徴とする装置。